(57)【要約】【課題】単一の保育器を四種類の装置の状態で使用することができて多くの種類の装置を備える必要がない、保育器を提供する。【解決手段】天蓋２７が下降及び上昇するほかに、左右側処置扉２２及び足側処置扉２３が最上昇位置と最下降位置と中間位置とに位置することができ、赤外線加熱器２８も天蓋２７とは独立に下降及び上昇することができる。このため、開放型保育器の状態と、赤外線加熱器２８が最上昇位置にあって赤外線加熱器２８が天蓋２７等を加熱可能な閉鎖型保育器の状態と、赤外線加熱器２８が最下降位置にあって移動の容易な閉鎖型保育器の状態と、蘇生処置用装置の状態との間で、保育器１１を切り換えることができる。【選択図】図１
2010099243.tif 000002
【特許請求の範囲】
【請求項１】
新生児収容室の側面に設けられている処置窓と、この処置窓を閉鎖及び開放する処置扉と、下降及び上昇することによって前記新生児収容室の天面を閉鎖及び開放する天蓋と、前記新生児収容室を加熱する加熱器とが備えられている保育器において、
前記処置窓を閉鎖している最上昇位置と前記処置窓を開放している最下降位置との間で前記処置扉を下降及び上昇させ、且つ前記最上昇位置と前記最下降位置との間の中間位置に前記処置扉を停止させることのできる、処置扉昇降機構と、
前記天蓋の前記下降及び上昇の経路から変位している経路で前記加熱器を下降及び上昇させる加熱器昇降機構と
を具備することを特徴とする保育器。
【請求項２】
前記天蓋及び前記加熱器が前記上昇位置にあって前記処置扉が前記中間位置にある状態と、
前記天蓋及び前記処置扉が夫々前記下降位置及び前記最上昇位置にあり前記加熱器が前記上昇位置にある状態と、
前記天蓋及び前記処置扉が夫々前記下降位置及び前記最上昇位置にあり前記加熱器が前記下降位置にある状態と、
前記天蓋及び前記加熱器が前記上昇位置にあって前記処置扉が前記最下降位置にある状態との間で、
切り換え可能であることを特徴とする請求項１に記載の保育器。
【発明の詳細な説明】
【技術分野】
【０００１】
本発明は、自らの力では体温調節等をできない新生児に適切な生理的環境を提供してこの新生児を保護育成するための保育器に関する。
【背景技術】
【０００２】
保育器には、新生児に適切な生理的環境を提供する新生児収容室が設けられている。閉鎖型保育器では、新生児収容室の下方に配置されている温度や湿度等の制御機構によって、側壁及び天井で囲まれている新生児収容室内の温度のみならず湿度や酸素濃度等も制御される。開放型保育器では、新生児収容室内の新生児に対して医師や看護士等の処置者が迅速な処置を施すことができる様に、新生児収容室に天井がなく且つ側壁も閉鎖型保育器に比べて僅かに低い。開放型保育器でも、新生児収容室の上方に配置されている熱線放射源によって新生児収容室内の臥床台や臥床台上の新生児が加温される。
【０００３】
そして、上述の閉鎖型保育器と開放型保育器とに随時に切り換えることができれば、これらの保育器の両方を備える必要がないので、好ましい。このため、新生児収容室の天蓋を下降及び上昇させることによって閉鎖型と開放型とに随時に切り換えることのできる切換型保育器も提案されている（例えば、特許文献１及び特許文献２）。
【特許文献１】特開２０００−３５４６１５公報
【特許文献２】特開２００５−１０３２６２公報
【０００４】
ところで、閉鎖型保育器の新生児収容室内は成人の体温以上の温度と非常に高い湿度とに制御される場合がある。この場合、保育器が設置されている部屋の温度と新生児収容室内の温度との差のために、特に開放型保育器から閉鎖型保育器に切り換えられた直後に、新生児収容室の天井等の内面に結露が発生し、この結露で雑菌が繁殖する可能性がある。この結露の発生を防止するためには、新生児収容室の天井等の外面を加熱して外面と内面との温度差を減少させる必要があり、そのためには熱線放射源で天井等の外面を加熱することが有効である。
【０００５】
ところが、新生児収容室の天井等の位置は臥床台や臥床台上の新生児よりも高いので、この天井等の広い範囲に熱線を照射するために、臥床台や臥床台上の新生児のみを加温していた場合に比べて熱線放射源の配置位置を高くする必要がある。しかし、熱線放射源の配置位置があまり高いと、保育器の移動時に部屋の入口を通過できない可能性等がある。このため、熱線放射源による加熱を行う状況では熱線放射源が高い位置に配置されている閉鎖型保育器を使用し、熱線放射源による加熱を行わない状況では熱線放射源が少なくとも高い位置には配置されていない閉鎖型保育器を使用することが、好ましい。
【０００６】
更に、蘇生処置の必要な重篤な新生児に対しては同時に多数の処置者によって処置が行われしかも多数の処置者が臥床台の周囲にいる状況では新生児が臥床台から転落する危険性もない。このため、蘇生処置用装置では、臥床台や臥床台上の新生児を加温するための熱線放射源はあるが、臥床台に天井及び側壁はない。
【０００７】
上述の様に、新生児の保育に際しては、開放型保育器と、熱線放射源が高い位置に配置されている閉鎖型保育器と、熱線放射源が少なくとも高い位置には配置されていない閉鎖型保育器と、蘇生処置用装置とが、使用される可能性がある。しかし、産院等においてこれら四種類の装置の総てをある程度の数ずつ揃えることは、費用や施設等の面から容易ではない。
【発明の開示】
【発明が解決しようとする課題】
【０００８】
ところが、上述の特許文献１及び特許文献２の保育器では、開放型保育器の状態であっても、側壁の高さは閉鎖型保育器の状態と同じであり、好ましい開放型保育器の状態つまり側壁の高さが閉鎖型保育器よりも僅かに低い状態にはならない。また、熱線放射源が新生児収容室の天蓋と独立には昇降せず、蘇生処置用装置の状態にもならないので、単一の保育器を上述の四種類の装置の状態で使用することができなくて、依然として多くの種類の装置を備える必要がある。従って、本発明は、単一の保育器を四種類の装置の状態で使用することができて多くの種類の装置を備える必要がない、保育器を提供することを目的としている。
【課題を解決するための手段】
【０００９】
本発明による保育器では、天蓋が下降及び上昇するほかに、処置扉昇降機構によって処置扉が最上昇位置と最下降位置と中間位置とに位置することができる。また、天蓋の下降及び上昇の経路から変位している経路で加熱器昇降機構が加熱器を下降及び上昇させるので、加熱器は天蓋とは独立に下降及び上昇することができる。
【００１０】
このため、天蓋及び加熱器がそれらの最上昇位置にあって処置扉が中間位置にある開放型保育器の状態と、天蓋及び処置扉が夫々最下降位置及び最上昇位置にあり加熱器が最上昇位置にあって加熱器が天蓋等を加熱可能な閉鎖型保育器の状態と、天蓋及び処置扉が夫々最下降位置及び最上昇位置にあり加熱器が最下降位置にあって移動の容易な閉鎖型保育器の状態と、天蓋及び加熱器がそれらの最上昇位置にあって処置扉が最下降位置にある蘇生処置用装置の状態との間で、保育器を切り換えることができる。
【発明の効果】
【００１１】
本発明による保育器では、天蓋及び加熱器がそれらの最上昇位置にあって処置扉が中間位置にある開放型保育器の状態と、天蓋及び処置扉が夫々最下降位置及び最上昇位置にあり加熱器が最上昇位置にあって加熱器が天蓋等を加熱可能な閉鎖型保育器の状態と、天蓋及び処置扉が夫々最下降位置及び最上昇位置にあり加熱器が最下降位置にあって移動の容易な閉鎖型保育器の状態と、天蓋及び加熱器がそれらの最上昇位置にあって処置扉が最下降位置にある蘇生処置用装置の状態との間で、保育器を切り換えることができる。従って、単一の保育器を四種類の装置の状態で使用することができて多くの装置を備える必要がない。
【発明を実施するための最良の形態】
【００１２】
以下、本発明の一実施形態を、図１〜３７を参照しながら説明する。以下においては、
（１）全体の概要
（２）左右側処置扉の昇降
（３）左右側処置扉の回動
（４）足側処置扉の昇降
（５）足側処置扉の下降の制限
（６）赤外線加熱器による加温、加熱
（７）新生児収容室内での照射
（８）保育器の四つの状態
に分けて本実施形態を説明する。
【００１３】
（１）全体の概要
図２が、閉鎖型の状態にある本実施形態の保育器を示している。この保育器１１では、架台１２に車輪１３と支柱１４とが取り付けられており、この支柱１４に基部１５が支持されている。基部１５内には温度や湿度等の制御機構（図示せず）が設けられており、基部１５上に新生児収容室１６が設けられており、基部１５下に収納用の引き出し１７が取り付けられている。架台１２には支柱１４に沿って基部１５等の高さを調節するためのペダル１８も設けられている。
【００１４】
新生児収容室１６内には臥床台２１（図１）が配置されており、この臥床台２１上に臥床する新生児（図示せず）の左側及び右側に位置する一対の左右側処置扉２２と足側に位置する足側処置扉２３と頭側に位置する頭側処置壁２４とが新生児収容室１６の側面に設けられている。架台１２には左右一対の支柱２５も取り付けられている。左右一対の支柱２５内には別の左右一対の支柱２６（図３）が入れ子状に配置されており、電動機、駆動歯車、駆動鎖、従動歯車等の駆動機構（何れも図示せず）によって夫々の支柱２６が夫々の支柱２５内を摺動することができる。
【００１５】
新生児収容室１６の天蓋２７と赤外線加熱器２８とが左右一対の支柱２６の一方及び他方に夫々支持されている。図３３、３４、３７に示されている様に、足側処置扉２３側から見ると、天蓋２７と赤外線加熱器２８とは共に左右一対の支柱２５、２６同士の間に位置している。しかし、図１〜５、３６に示されている様に、左右側処置扉２２側から見ると、天蓋２７は支柱２５、２６よりも足側処置扉２３側に位置しており、赤外線加熱器２８は支柱２５、２６よりも足側処置扉２３とは反対側に位置している。つまり、天蓋２７の下降及び上昇の経路と赤外線加熱器２８の下降及び上昇の経路とは互いに変位しており、このために支柱２６が支柱２５内を摺動することによって天蓋２７と赤外線加熱器２８とは互いに独立に昇降することができる。
【００１６】
天蓋２７は透明材料によって形成されている。支柱２５には、赤外線加熱器２８が部屋の壁面（図示せず）に衝突することを防止する保護具３１も取り付けられている。足側処置扉２３及び頭側処置壁２４には各種のチューブ等を挿通させるためのグロメット３２（図２４）が取り付けられている。頭側処置壁２４は基部１５に対して固定されていて動かすことができないが、左右側処置扉２２及び足側処置扉２３は基部１５に対して昇降可能である。図１は左右側処置扉２２が最下降位置まで下降されて左右側処置窓３３を開放している状態を示しており、この状態から天蓋２７に当接する最上昇位置まで左右側処置扉２２を上昇させれば左右側処置窓３３が閉鎖される。
【００１７】
図５は、左右側処置扉２２及び足側処置扉２３が最上昇位置まで上昇されて左右側処置窓３３及び足側処置窓３４（図２３）を閉鎖しており且つ天蓋２７が最上昇位置まで上昇されている状態を、示している。従って、この状態では、新生児収容室１６の天面が開放されている。図４は左右側処置扉２２及び足側処置扉２３が中間位置まで下降されている状態を示しており、図３は左右側処置扉２２及び足側処置扉２３が最下降位置まで下降されている状態を示している。なお、後述する様に、左右側処置扉２２と足側処置扉２３とは互いに独立に昇降可能である。
【００１８】
（２）左右側処置扉の昇降
図６、７に示されている様に、左右側処置扉２２には、二重壁構造の透明な外壁３５及び内壁３６、左右一対の被案内レール３７、枠体３８、枠体覆い４１、左右一対の蝶番４２、Ｘ線カセッテ扉４３等が備えられている。外壁３５及び内壁３６には、左右一対の手入窓４４と、これらの手入窓４４を開閉する左右一対の手入扉４５と、Ｘ線カセッテ開口４６とが備えられている。左右一対の被案内レール３７の夫々の上端部近傍には、被案内レール３７よりも大径の部分を有するストッパ４７が取り付けられている。Ｘ線カセッテ開口４６における気密性の向上のために、このＸ線カセッテ開口４６の閉鎖時にはＸ線カセッテ扉４３の一部がＸ線カセッテ開口４６の内部へ挿入されている。
【００１９】
図８、９は、基部１５のうちで一対の左右側処置扉２２における夫々の両方の側縁部に対応する位置つまり基部１５の四隅に取り付けられている、四つの処置扉支持体４８のうちの一つを示している。これらの処置扉支持体４８には垂直方向へ延びる案内溝５１が設けられており、左右側処置扉２２の昇降に際しては、この左右側処置扉２２の両方の側縁部における被案内レール３７が案内溝５１内を摺動する。
【００２０】
図２、８、１０に示されている様に、左右側処置扉２２の昇降時にこの左右側処置扉２２に対向する基部１５の側面のうちで処置扉支持体４８の近傍には、垂直方向へ延びる一対の係合溝５２が設けられている。また、図８、１０、１１に示されている様に、係合溝５２の上端部及び中間部に係合溝５２よりも深い嵌合孔５３、５４が夫々設けられている。更に、図１０、１１に示されている様に、係合溝５２のうちで、嵌合孔５３と嵌合孔５４との中間部から嵌合孔５４に到る部分と、嵌合孔５４と係合溝５２の下端部との中間部から下端部に到る部分とに、係合溝５２が徐々に深くなる傾斜面５５、５６が夫々設けられている。
【００２１】
図１２〜１４は左右側処置扉２２の一部を示しており、図１２、１３は枠体覆い４１が取り外されている状態、図１４は枠体覆い４１が取り付けられている状態を夫々示している。図１２、１３に示されている様に、枠体３８にはピン５７によってレバー５８が揺動可能に取り付けられている。図１〜６に示されている様に、枠体覆い４１には開口６１が設けられており、この開口６１の近傍にレバー５８が位置している。処置者は、開口６１から枠体覆い４１内へ指を入れ、レバー５８を手前に引くことによって、このレバー５８を揺動させることができる。レバー５８には、手前に引かれていない場合に開口６１内の奥側に位置するためのばね等の付勢手段（図示せず）が備えられている。
【００２２】
枠体３８には水平方向へ延びる枠部６２が設けられており、この枠部６２内に摺動体６３が水平方向へ摺動可能に嵌合されている。枠体３８にはピン６４が取り付けられており、摺動体６３に設けられている水平方向へ長い長孔６５を介してピン６４の基端部が摺動体６３内へ突出している。ピン６４のこの基端部には、垂直方向へ延びる別のピン６６が固定されている。図１４に示されている様に枠体３８とピン６４との間には圧縮コイルばね６７が介装されており、枠体３８から枠体覆い４１とは反対方向へ圧縮コイルばね６７がピン６４を付勢している。
【００２３】
図１２、１３に示されている様に、摺動体６３には、レバー５８から離隔するに連れて枠体３８からの高さが高くなる一対の傾斜面６８が設けられている。上述の様に枠体３８から枠体覆い４１とは反対方向へ圧縮コイルばね６７がピン６４を付勢しているので、このピン６４に固定されているピン６６はその両端部の外周面において傾斜面６８と常に当接している。なお、この当接による摩擦力が少なくなる様に、ピン６６の外周面と傾斜面６８の表面とが形成されている。
【００２４】
図１２、１３に示されている様に摺動体６３に連結棒７１の一端部が取り付けられており、図１２に示されている様にこの連結棒７１の他端部がレバー５８内に位置している。レバー５８には枠体覆い４１から離隔するに連れて摺動体６３からの距離が遠くなる傾斜面７２が設けられており、この傾斜面７２の傾斜方向へ長い長孔７３が傾斜面７２に設けられている。また、半球状に近い形状の鍔７４がレバー５８内の連結棒７１の他端部に取り付けられている。
【００２５】
上述の様に、レバー５８は開口６１内の奥側へ付勢されており、また、ピン６４は枠体３８から枠体覆い４１とは反対方向へ付勢されている。このため、レバー５８が手前に引かれていない状態では、摺動体６３の傾斜面６８のうちでレバー５８からの距離が最も近い部分にピン６６が位置して、摺動体６３がレバー５８から最も遠い位置にある。この結果、レバー５８側から摺動体６３側へ連結棒７１が引き寄せられており、レバー５８の長孔７３のうちで摺動体６３からの距離が最も近い部分に連結棒７１の鍔７４が位置している。また、上述の様に摺動体６３の傾斜面６８のうちでレバー５８からの距離が最も近い部分にピン６６が位置しているので、図１４に示されている様にピン６４の先端部が枠体３８から枠体覆い４１とは反対方向へ突出している。
【００２６】
処置者が開口６１から枠体覆い４１内へ指を入れてレバー５８を手前に引くと、レバー５８の長孔７３のうちで摺動体６３からの距離が最も近い部分から最も遠い部分へ連結棒７１の鍔７４が傾斜面７２上を相対的に移動し、この移動に伴って摺動体６３側からレバー５８側へ連結棒７１が引き寄せられる。この結果、枠部６２に沿って摺動体６３がレバー５８に接近し、摺動体６３の傾斜面６８のうちでレバー５８からの距離が最も近い部分から最も遠い部分へピン６６が傾斜面６８上を相対的に移動し、ピン６４の先端部が枠体３８から枠体覆い４１とは反対方向へ突出しなくなる。
【００２７】
図１２、１３には一つの摺動体６３、ピン６４、連結棒７１等しか示されていないが、これらはレバー５８の左右に一つずつ備えられており、図７には一対のピン６４の先端部が枠体３８から枠体覆い４１とは反対方向へ突出している状態が示されている。更に、図１、２に示されている様に、定荷重ばね７５が枠体３８の下端辺に係合されて左右側処置扉２２に上昇方向への力を印加しており、定荷重ばね７５による上昇方向への力と左右側処置扉２２の自重とが略均衡している。
【００２８】
図２に示されている様に左右側処置扉２２が左右側処置窓３３を閉鎖している状態では、図１５に示されている様に、枠体３８から枠体覆い４１とは反対方向へ突出しているピン６４の先端部が基部１５の嵌合孔５３に嵌合しており、この嵌合によって左右側処置扉２２の下降が防止されている。左右側処置扉２２を下降させて左右側処置窓３３を開放するためには、上述の様に枠体覆い４１の開口６１から枠体覆い４１内へ指を入れてレバー５８を手前に引き、ピン６４の先端部を基部１５から枠体３８側へ後退させて、ピン６４の先端部と基部１５の嵌合孔５３との嵌合を解除する。
【００２９】
この解除状態で、定荷重ばね７５による左右側処置扉２２の支持に抗して下方向の力を左右側処置扉２２に印加すると、左右側処置扉２２の被案内レール３７が処置扉支持体４８の案内溝５１に案内されつつ、左右側処置扉２２が下降し始める。しかし、定荷重ばね７５の作用によって、左右側処置扉２２は急激には下降しない。ピン６４の先端部と基部１５の嵌合孔５３との嵌合が解除されると同時にレバー５８の操作も解除すると、ピン６４の先端部は、係合溝５２に係合し、次に左右側処置扉２２の下降に伴って傾斜面５５に係合し、更に左右側処置扉２２の下降に伴って図１６に示されている様に基部１５の嵌合孔５４と嵌合して、左右側処置扉２２の更なる下降が防止される。
【００３０】
図１６は、左右側処置扉２２が中間位置まで下降されている状態を示しており、図４に対応している。図１６の状態において再び枠体覆い４１の開口６１から枠体覆い４１内へ指を入れてレバー５８を手前に引くと、左右側処置扉２２が更に下降し、図１７に示されている様にストッパ４７の下面が処置扉支持体４８の上面に当接して、左右側処置扉２２の更なる下降が防止される。図１７は、左右側処置扉２２が最下降位置まで下降されている状態を示しており、図３に対応している。図１５の状態においてレバー５８を手前に引いて左右側処置扉２２が下降し始めた後もレバー５８の操作を解除しなければ、左右側処置扉２２は図１６の中間位置で停止することなく、図１７の最下降位置まで下降する。
【００３１】
逆に、左右側処置窓３３を左右側処置扉２２で閉鎖するために、図１７の最下降位置から左右側処置扉２２を上昇させるためには、レバー５８を手前に引くことなく左右側処置扉２２を持ち上げるだけでよい。この場合も、定荷重ばね７５の作用によって、比較的少ない力で左右側処置扉２２を持ち上げることができる。左右側処置扉２２が上昇し始めると、レバー５８を手前に引いていなくても、ピン６４の先端部は、傾斜面５６によって係合溝５２と円滑に係合し、まず嵌合孔５４に嵌合する。この状態で左右側処置扉２２の持ち上げを停止すれば、左右側処置扉２２は図１６の中間位置で停止する。
【００３２】
ピン６４の先端部が嵌合孔５４に嵌合した後も左右側処置扉２２の持ち上げを停止しなければ、ピン６４の先端部は、傾斜面５５及び係合溝５２を通り、嵌合孔５３に嵌合して、左右側処置扉２２は図１５の最上昇位置で停止する。左右側処置扉２２を持ち上げる場合は、ピン６４の先端部が嵌合孔５４に嵌合した後も、レバー５８を手前に引いていなくても、ピン６４の先端部は、傾斜面５５によって嵌合孔５４から円滑に脱出して係合溝５２と係合する。
【００３３】
（３）左右側処置扉の回動
図６に示されている様に、左右側処置扉２２の外壁３５の両方の側縁部の上端部には欠如部７６が設けられており、これらの欠如部７６の下方にも別の欠如部７７が設けられている。被案内レール３７の上端部であってストッパ４７上には欠如部７６に上方から嵌合可能で且つ回動可能な摘み７８が取り付けられており、被案内レール３７の上端部近傍には欠如部７７と係合して外壁３５等を支持する鉤部８１が設けられている。また、外壁３５の上端辺近傍には、外壁３５や内壁３６等を持ち上げたりするための把手８２が設けられている。
【００３４】
図１５〜１７に示されている様に、枠体３８には外壁３５用の嵌合溝８３が設けられており、欠如部７７が鉤部８１と係合している状態では外壁３５の下端部が嵌合溝８３内に嵌合している。図１８（ａ）に示されている様に、被案内レール３７のうちで蝶番４２に隣接する部分には三角形に近い形状の凹部８４が設けられており、図１８（ｂ）に示されている様に、蝶番４２には凹部８４内に位置する回動軸８５が備えられている。蝶番４２には、当接用の凸部８６と、Ｘ線カセッテ扉４３の回動軸（図示せず）が挿入される軸受孔８７と、Ｘ線カセッテ扉４３の回動防止軸（図示せず）が嵌合される凹部８８とが設けられている。
【００３５】
左右側処置扉２２の外壁３５や内壁３６等を回動させるためには、まず、摘み７８を回動させて、この摘み７８と外壁３５の欠如部７６との嵌合を解除する。そして、把手８２を持って、外壁３５、内壁３６、蝶番４２、及びＸ線カセッテ扉４３を持ち上げて、外壁３５の下端部と嵌合溝８３との嵌合を解除すると同時に外壁３５の欠如部７７と鉤部８１との係合を解除する。このとき、蝶番４２の回動軸８５が被案内レール３７の凹部８４内を移動するので、上述の様に外壁３５や内壁３６等が持ち上げられる。
【００３６】
次に、外壁３５や内壁３６等を手前に回動させていくと、図１９に示されている様に、蝶番４２の凸部８６が枠体覆い４１の上面に当接して回動が停止する。この状態では、外壁３５や内壁３６等が９０°回動して略水平になっており、内壁３６の内面が上向きになっている。この上向き状態では内壁３６等の内面を楽な姿勢で清拭することができるので、保育器１１の内部を清潔な状態に維持し易い。なお、図１９に示されている様に、この回動時に、被案内レール３７、枠体３８、及び枠体覆い４１は回動されない。
【００３７】
外壁３５や内壁３６等を回動させるためには、上述の様にこれらの外壁３５や内壁３６等を持ち上げる必要があるので、左右側処置扉２２が最上昇位置にある場合には、図５に示されている様に天蓋２７が上昇されている必要がある。更に、左右側処置扉２２が最下降位置にある場合には、外壁３５や内壁３６等を回動させようとしても外壁３５の外面が処置扉支持体４８に当接するので、この回動を行うことができない。なお、本実施形態の保育器１１では外壁３５や内壁３６等が上述の様に９０°までしか回動しないが、この回動が可能な角度は９０°以外でもよく、例えば内壁３６の内面が外向きになる様に１８０°まで回動可能であってもよい。
【００３８】
（４）足側処置扉の昇降
図２０〜２２に示されている様に、基部１５内には、左右側処置扉２２の枠体３８と平行に且つ水平方向へ延びる案内レール９１と、この案内レール９１に案内されて移動可能な移動体９２とが備えられている。移動体９２には一対のリンク９３、９４の基端側取付部９５、９６が回動可能に取り付けられており、これら一対のリンク９３、９４の先端側取付部９７、９８は足側処置扉２３の下端部近傍に回動可能に取り付けられている。
【００３９】
基端側取付部９５及び先端側取付部９７の間隔と基端側取付部９６及び先端側取付部９８の間隔とは互いに等しいが、先端側取付部９７、９８同士の間隔は基端側取付部９５、９６同士の間隔よりも狭い。リンク９３にはローラ１０１が取り付けられており、このローラ１０１を回転させつつ案内する案内溝１０２が基部１５内に備えられている。案内溝１０２には、足側処置扉２３から最も離隔している部分から足側処置扉２３へ接近するに連れて水平方向へ延びている水平部１０３と、その後に下降しつつ足側処置扉２３へ接近している傾斜部１０４とが設けられている。
【００４０】
ローラ１０１が案内溝１０２の水平部１０３内を転動している間は、移動体９２が案内レール９１に案内されて移動するだけであり、リンク９３、９４同士の相対的な位置関係つまり基端側取付部９５、９６及び先端側取付部９７、９８同士の相対的な位置関係は変動しない。しかし、ローラ１０１が案内溝１０２の傾斜部１０４内を転動している間は、移動体９２が案内レール９１に案内されて移動するだけでなく、リンク９３がその基端側取付部９５を中心にして回動し、先端側取付部９７、９８が共に足側処置扉２３に取り付けられているので、リンク９４もその基端側取付部９６を中心にして回動する。
【００４１】
上述の様に、基端側取付部９５及び先端側取付部９７の間隔と基端側取付部９６及び先端側取付部９８の間隔とは互いに等しいが、先端側取付部９７、９８同士の間隔は基端側取付部９５、９６同士の間隔よりも狭いので、基端側取付部９５、９６及び先端側取付部９７、９８で形成されている形状は平行四辺形ではない。もし、先端側取付部９７、９８同士の間隔と基端側取付部９５、９６同士の間隔とが互いに等しくて、基端側取付部９５、９６及び先端側取付部９７、９８で形成されている形状が平行四辺形であれば、リンク９３、９４がそれらの基端側取付部９５、９６を中心にして回動しても、基端側取付部９５、９６同士を結ぶ直線と先端側取付部９７、９８同士を結ぶ直線とは互いに平行なままである。
【００４２】
しかし、上述の形状が平行四辺形ではないので、足側処置扉２３に取り付けられている先端側取付部９７、９８同士の間隔を維持するために、図２０〜２２に示されている様に、ローラ１０１が案内溝１０２の傾斜部１０４内を下降するに連れて、先端側取付部９７、９８同士を結ぶ直線のうちで先端側取付部９８側の部分が基端側取付部９５、９６同士を結ぶ直線へ接近する様に、先端側取付部９７、９８同士を結ぶ直線が傾斜していく。逆に、ローラ１０１が案内溝１０２の傾斜部１０４内を上昇するに連れて、先端側取付部９７、９８同士を結ぶ直線のうちで先端側取付部９８側の部分が基端側取付部９５、９６同士を結ぶ直線から離隔する様に、先端側取付部９７、９８同士を結ぶ直線が傾斜していく。
【００４３】
図２０〜２２には一対の左右側処置扉２２のうちの一方の左右側処置扉２２側におけるリンク９３、９４等しか示されていないが、基部１５における他方の左右側処置扉２２側にも図２０〜２２と左右対称形状のリンク９３、９４等が備えられている。従って、足側処置扉２３の左右両端部に先端側取付部９７、９８によってリンク９３、９４が取り付けられている。
【００４４】
一方、図２３〜２５に示されている様に、足側処置扉２３には、透明壁１０５、枠体１０６、枠体覆い１０７等が備えられている。枠体覆い１０７は枠体１０６の一部のみを覆っており、この枠体覆い１０７には欠如部１０８が設けられている。図２４、２５は枠体覆い１０７が取り外されている状態の足側処置扉２３を示しており、左右側処置扉２２におけるレバー５８と同様なレバー１１１が枠体１０６に取り付けられている。
【００４５】
レバー１１１は、欠如部１０８の近傍に位置しており、一対のピン１１２を中心にして枠体１０６に対して揺動可能である。処置者は、欠如部１０８から枠体覆い１０７内へ指を入れ、レバー１１１を手前に引くことによって、このレバー１１１を揺動させることができる。レバー１１１には、手前に引かれていない場合に欠如部１０８内の奥側に位置するためのばね等の付勢手段（図示せず）が備えられている。
【００４６】
枠体１０６には一対のピン１１３が取り付けられており、これらのピン１１３の一端部がレバー１１１内に位置している。なお、図２４、２５では、右側のピン１１２、１１３の図示が省略されている。ピン１１３の中間部にＥリング１１４（図２６）が取り付けられており、このＥリング１１４と枠体１０６との間に圧縮コイルばね１１５（図２６）が介装されている。このため、レバー１１１側から処置扉支持体４８側へ圧縮コイルばね１１５がピン１１３を付勢している。
【００４７】
レバー１１１には枠体覆い１０７から離隔するに連れて処置扉支持体４８からの距離が遠くなる傾斜面１１６が設けられており、この傾斜面１１６の傾斜方向へ長い長孔１１７が傾斜面１１６に設けられている。また、半球状に近い形状の鍔１１８がレバー１１１内のピン１１３の一端部に取り付けられている。上述の様に、レバー１１１は欠如部１０８内の奥側へ付勢されており、また、ピン１１３はレバー１１１側から処置扉支持体４８側へ付勢されている。図２７、２８に示されている様に、枠体１０６のうちでレバー１１１の両側に凹部１２１が設けられており、この凹部１２１内で且つピン１１３の上方に移動体１２２が配置されている。
【００４８】
図２８、２９に示されている様に、移動体１２２の底面には、レバー１１１に接近するに連れて枠体覆い１０７から離隔する様にピン１１３の軸心方向と斜交する係合溝１２３が設けられている。また、図２７、２８に示されている様に、移動体１２２には、足側処置扉２３の厚さ方向へ延びるピン１２４が固定されており、このピン１２４の先端部は足側処置扉２３から基部１５側へ常に突出している。
【００４９】
図２６に示されている様に、ピン１１３の直径を貫通している別のピン１２５がピン１１３に固定されており、図２８に示されている様に、ピン１２５の上端部が移動体１２２の係合溝１２３に係合している。このため、ピン１１３が枠体覆い１０７に沿って移動するに連れて、移動体１２２が凹部１２１内を枠体覆い１０７に対して垂直に近い方向へ移動し且つピン１２４も枠体覆い１０７に対して垂直に近い方向へ移動する。
【００５０】
レバー１１１が手前に引かれていない状態では、レバー１１１側から処置扉支持体４８側へピン１１３が引き寄せられており、レバー１１１の長孔１１７のうちで処置扉支持体４８からの距離が最も近い部分にピン１１３の鍔１１８が位置している。また、ピン１２５が係合溝１２３のうちでレバー１１１から最も遠い部分つまり枠体覆い１０７に最も近い部分に係合している。この結果、図２４〜２６に示されている様にピン１１３の他端部が枠体１０６から処置扉支持体４８側へ突出すると共に、足側処置扉２３から基部１５側へのピン１２４の突出量が多くなっている。
【００５１】
処置者が欠如部１０８から枠体覆い１０７内へ指を入れてレバー１１１を手前に引くと、レバー１１１の長孔１１７のうちで左右側処置扉２２からの距離が最も近い部分から遠い部分へピン１１３の鍔１１８が傾斜面１１６上を相対的に移動し、この移動に伴って処置扉支持体４８側からレバー１１１側へピン１１３が引き寄せられる。また、ピン１２５が係合溝１２３のうちでレバー１１１に最も近い部分つまり枠体覆い１０７から最も遠い部分に係合する。この結果、ピン１１３の他端部が枠体１０６から処置扉支持体４８側へ突出しなくなると共に、足側処置扉２３から基部１５側へのピン１２４の突出量が少なくなる。
【００５２】
図２６は、足側処置扉２３が足側処置窓３４を閉鎖している状態の、足側処置扉２３と処置扉支持体４８とを示している。この図２６に示されている様に、処置扉支持体４８のうちで足側処置扉２３が嵌合される垂直面に、ピン１１３の他端部を収容することのできる凹部１２６が設けられている。
【００５３】
また、図３０に示されている様に、足側処置扉２３の昇降時にこの足側処置扉２３に対向する基部１５の側面のうちで処置扉支持体４８の近傍には、垂直方向へ延びておりピン１２４と係合することのできる一対の係合溝１２７が設けられている。係合溝１２７の上端部には係合溝１２７よりも深い嵌合部１２８が設けられており、この嵌合部１２８の上方は開放されている。更に、係合溝１２７のうちで、嵌合部１２８から係合溝１２７の下端部に到る部分に、係合溝１２７が徐々に深くなる傾斜面１３１が設けられている。
【００５４】
従って、図２０、２３に示されている様に足側処置扉２３が足側処置窓３４を閉鎖している状態では、図２６に示されている様にピン１１３の他端部が処置扉支持体４８の凹部１２６に係合しており、この係合によって足側処置扉２３の下降が防止されている。図２０、２３に示されている閉鎖状態から図２１、２４に示されている中間位置まで足側処置扉２３を下降させるためには、レバー１１１を手前に引いて、ピン１１３の他端部と処置扉支持体４８の凹部１２６との係合を解除する。
【００５５】
図２１、２４に示されている中間位置まで足側処置扉２３が下降した時点でレバー１１１を手前に引いていなければ、ピン１２４の先端部が係合溝１２７の嵌合部１２８に上方から嵌合し、この嵌合によって足側処置扉２３の更なる下降が防止される。図２１、２４に示されている様に足側処置扉２３が中間位置まで下降している状態でレバー１１１を再び手前に引くことによってピン１２４の先端部と嵌合部１２８との嵌合を解除するか、またはこの中間位置まで足側処置扉２３が下降した時点でもレバー１１１をまだ手前に引いたままであれば、ピン１２４の先端部が傾斜面１３１上を摺動し、図２２、２５に示されている様に足側処置扉２３が最下降位置まで更に下降して足側処置窓３４を開放する。
【００５６】
逆に、図２２、２５に示されている最下降位置から足側処置扉２３を上昇させるためには、レバー１１１を手前に引くことなく足側処置扉２３を持ち上げるだけでよい。この場合、図２１、２４に示されている中間位置で足側処置扉２３の持ち上げを中止すれば、この中間位置で足側処置扉２３が停止する。この中間位置でも足側処置扉２３の持ち上げを継続すれば、図２０、２３に示されている最上昇位置まで足側処置扉２３が上昇する。
【００５７】
（５）足側処置扉の下降の制限
図２８に示されている様に、足側処置扉２３の枠体１０６のうちで基部１５側の面に掛け金受け１３２が取り付けられている。基部１５のうちで、最上昇位置にある足側処置扉２３の掛け金受け１３２に対向する部分に、図３１、３２に示されている様に掛け金基板１３３が取り付けられており、この掛け金基板１３３に掛け金１３４が取り付けられている。掛け金１３４は、中心軸１３５を中心にして、且つ掛け金基板１３３の案内孔１３６に被案内軸１３７を案内されつつ、揺動可能である。
【００５８】
掛け金１３４は、図３２の位置から図３１の位置へ、つまり掛け金受け１３２と係合する方向へ、引張コイルばね１３８で付勢されている。掛け金１３４の被駆動軸１４１にはワイヤ１４２の一端部が固定されており、このワイヤ１４２は基部１５の内部や一対の支柱２５のうちの天蓋２７用の支柱２５の内部を通過している。図３３、３４に示されている様に、この支柱２５の頂部近傍にワイヤ１４２の他端部が固定されており、この他端部近傍に被押圧体１４３が固定されている。一対の支柱２６のうちの天蓋２７用の支柱２６の下端部近傍には押圧体１４４が取り付けられており、支柱２５内における支柱２６の摺動と共に押圧体１４４も支柱２５内を昇降する。
【００５９】
図３４に示されている様に、天蓋２７が最上昇位置近傍まで上昇していれば、押圧体１４４が被押圧体１４３を下方から上方へ押圧している。この押圧によってワイヤ１４２が引っ張られており、この引っ張りによって掛け金１３４が引張コイルばね１３８による付勢に抗して図３２の位置まで揺動している。掛け金１３４が図３２の位置にあれば、掛け金１３４が掛け金受け１３２と係合していないので、上述の様にレバー１１１を手前に引くこと等によって、足側処置扉２３を最上昇位置から下降させることができる。
【００６０】
しかし、図３３に示されている様に、天蓋２７が最上昇位置近傍から僅かでも下降していれば、押圧体１４４が被押圧体１４３を下方から上方へ押圧していない。このためワイヤ１４２が引っ張られておらず、掛け金１３４が引張コイルばね１３８による付勢によって図３１の位置まで揺動している。掛け金１３４が図３１の位置にあれば、掛け金１３４が掛け金受け１３２と係合しているので、レバー１１１を手前に引いても、足側処置扉２３を最上昇位置から下降させることができない。
【００６１】
本実施形態の保育器１１では、温度等を制御された空気を新生児収容室１６内で循環させるために、新生児収容室１６内のうちで足側処置扉２３の近傍に循環空気の吸込み口（図示せず）が設けられている。このため、左右側処置扉２２が下降されて開放されている左右側処置窓３３には吹出し空気によるエアカーテンを形成することができるが、足側処置扉２３が下降されて開放されている足側処置窓３４には吹出し空気によるエアカーテンを形成することができない。
【００６２】
しかし、本実施形態の保育器１１では、上述の様に、天蓋２７が最上昇位置以外の位置まで上昇されて新生児収容室１６の天面が開放されている場合には、エアカーテンを形成可能で且つ開放されている左右側処置窓３３にはエアカーテンを形成することができ、エアカーテンを形成不能な足側処置窓３４は下降を抑止されている足側処置扉２３で必ず閉鎖されているので、新生児収容室１６内を新生児に適切な生理的環境から逸脱しにくくすることができる。しかも、天蓋２７の最上昇位置では、足側処置窓３４も開放することができるので、新生児収容室１６内の新生児に容易に処置を施すことができる。
【００６３】
一方、図３５に示されている様に、左右一対の支柱２６の一方に取り付けられている支持アーム１４５に支持軸１４６を介して天蓋２７の一端部が懸吊されている。このため、天蓋２７が処置者の身体の一部等による衝撃等を受けると、天蓋２７の特に他端部が撓んで、この天蓋２７が破損する可能性がある。しかし、本実施形態の保育器１１では、上述の様に、天蓋２７が最上昇位置以外の位置まで上昇されている場合には、足側処置扉２３は下降を抑止されている。
【００６４】
このため、天蓋２７の最下降位置近傍でこの天蓋２７が処置者の身体の一部等による衝撃等を受けても、足側処置扉２３によっても天蓋２７が支持されるので、天蓋２７が一端部と他端部との両方で安定的に支持されて、天蓋２７の破損が防止される。一方、天蓋２７の最上昇位置では天蓋２７が処置者の身体の一部等による衝撃等を受ける可能性が低いので、天蓋２７が一端部以外で支持されていなくても支障はなく、天蓋２７の他端部に対応する足側処置扉２３も開放することができる。なお、本実施形態では、掛け金１３４と掛け金受け１３２とを係合させる機械的な機構によって足側処置扉２３の下降が抑止されているが、この抑止は例えば電気的な機構によって行われてもよい。
【００６５】
（６）赤外線加熱器による加温、加熱
図３〜５、３４に示されている様に天蓋２７及び赤外線加熱器２８が共にそれらの最上昇位置まで上昇されている状態では、赤外線加熱器２８から赤外線を放射することによって、臥床台２１やこの臥床台２１上の新生児を加温することができる。また、図３６、３７に示されている様に天蓋２７がその最下降位置まで下降されており且つ赤外線加熱器２８がその最上昇位置まで上昇されている状態では、赤外線加熱器２８から赤外線を放射することによって、天蓋２７の外面を加熱することができ、天蓋２７の外面からの熱伝導によって、天蓋２７の内面や左右側処置扉２２及び足側処置扉２３の外面及び内面や新生児収容室１６の内部もある程度まで加熱される。
【００６６】
図３６、３７の状態で天蓋２７の外面等を加熱する場合は、天蓋２７の軟化、変形を防止するために、図３〜５、３４の状態で臥床台２１やこの臥床台２１上の新生児を加温する場合に比べて、赤外線加熱器２８への供給電力が例えば１／５程度の低い値へ自動的に低減される。また、図３６、３７の状態で天蓋２７の外面等を加熱しているときに図２の状態へもし赤外線加熱器２８が下降されようとすると、赤外線加熱器２８への電力供給が自動的に停止される。
【００６７】
（７）新生児収容室内での照射
図３５に示されている様に天蓋２７には光源１４７が備えられており、この光源１４７は照明用の光源と光線治療用の光源とを兼ねている。光線治療のためには各種の波長の光線や白色光線が使用されるので、光源１４７から放射される光線の波長を選択することができる様に構成されている。
【００６８】
また、照明用及び光線治療用の何れの光源として使用される場合も、光源１４７から放射される光線が隣接の保育器に到達しにくくして、この隣接の保育器における新生児収容室内の新生児に対する影響を少なくするために、光源１４７は天蓋２７の上面の凹部１４８内に設けられている。なお、本実施形態では単一の光源１４７が照明用の光源と光線治療用の光源とを兼ねているが、これらの複数の光源が凹部１４８内に併置されていてもよい。
【００６９】
（８）保育器の四つの状態
以上に説明した様に、本実施形態の保育器１１は、図４に示されている様に天蓋２７及び赤外線加熱器２８がそれらの最上昇位置にあって左右側処置扉２２及び足側処置扉２３が中間位置にある開放型保育器の状態と、図３６、３７に示されている様に天蓋２７並びに左右側処置扉２２及び足側処置扉２３が夫々最下降位置並びに最上昇位置にあり赤外線加熱器２８が最上昇位置にあって赤外線加熱器２８が天蓋２７等を加熱可能な閉鎖型保育器の状態と、図２、３３に示されている様に天蓋２７並びに左右側処置扉２２及び足側処置扉２３が夫々最下降位置並びに最上昇位置にあり赤外線加熱器２８が最下降位置にあって移動の容易な閉鎖型保育器の状態と、図３に示されている様に天蓋２７及び赤外線加熱器２８がそれらの最上昇位置にあって左右側処置扉２２及び足側処置扉２３が最下降位置にある蘇生処置用装置の状態との、四つの状態をとることができる。
【００７０】
なお、図２、３３に示されている閉鎖型保育器の状態においても、図１に示されている様に左右側処置扉２２を最下降位置まで下降させて左右側処置窓３３を開放することができ、図３６、３７に示されている閉鎖型保育器の状態においても、図示されてはいないが左右側処置扉２２を最下降位置まで下降させて左右側処置窓３３を開放することができる。
【産業上の利用可能性】
【００７１】
本発明は、自らの力では体温調節等をできない新生児に適切な生理的環境を与えてその保護育成を図るための保育器の製造等に利用することができる。
【図面の簡単な説明】
【００７２】
【図１】本発明の一実施形態の保育器を左右側処置扉側から見た側面図であり、閉鎖型保育器の状態にあって、天蓋、赤外線加熱器、及び左右側処置扉が最下降位置まで下降され且つ足側処置扉が最上昇位置まで上昇されている状態を示している。
【図２】本発明の一実施形態の保育器を左右側処置扉側から見た側面図であり、閉鎖型保育器の状態にあって、天蓋及び赤外線加熱器が最下降位置まで下降され且つ左右側処置扉及び足側処置扉が最上昇位置まで上昇されている状態を示している。
【図３】本発明の一実施形態の保育器を左右側処置扉側から見た側面図であり、蘇生処置用装置の状態にあって、天蓋及び赤外線加熱器が最上昇位置まで上昇され且つ左右側処置扉及び足側処置扉が最下降位置まで下降されている状態を示している。
【図４】本発明の一実施形態の保育器を左右側処置扉側から見た側面図であり、開放型保育器の状態にあって、天蓋及び赤外線加熱器が最上昇位置まで上昇され且つ左右側処置扉及び足側処置扉が中間位置まで下降されている状態を示している。
【図５】本発明の一実施形態の保育器を左右側処置扉側から見た側面図であり、天蓋、赤外線加熱器、左右側処置扉、及び足側処置扉が最上昇位置まで上昇されている状態を示している。
【図６】本発明の一実施形態の保育器における左右側処置扉の外面の斜視図である。
【図７】本発明の一実施形態の保育器における左右側処置扉の内面の斜視図である。
【図８】本発明の一実施形態の保育器における処置扉支持体の近傍部の斜視図である。
【図９】図８の処置扉支持体の横断面図である。
【図１０】本発明の一実施形態の保育器における基部の一部を左右側処置扉側から見た側面図である。
【図１１】図１０のＸＩ−ＸＩ線に沿う縦断面図である。
【図１２】本発明の一実施形態の保育器における左右側処置扉の一部を示しており、枠体覆いが取り外されている状態の斜視図である。
【図１３】本発明の一実施形態の保育器における左右側処置扉の一部を示しており、枠体覆いが取り外されている状態の正面図である。
【図１４】本発明の一実施形態の保育器における左右側処置扉の一部を示しており、枠体覆いに覆われている状態の縦断面図である。
【図１５】本発明の一実施形態の保育器の縦断面図であり、左右側処置扉が最上昇位置まで上昇されている状態を示している。
【図１６】本発明の一実施形態の保育器の縦断面図であり、左右側処置扉が中間位置まで下降されている状態を示している。
【図１７】本発明の一実施形態の保育器の縦断面図であり、左右側処置扉が最下降位置まで下降されている状態を示している。
【図１８】本発明の一実施形態の保育器における左右側処置扉の一部の斜視図であり、（ａ）は被案内レール、（ｂ）は蝶番を示している。
【図１９】本発明の一実施形態の保育器における外壁や内壁等が回動された状態の左右側処置扉を示しており、（ａ）は正面図、（ｂ）は側面図である。
【図２０】本発明の一実施形態の保育器の一部を左右側処置扉側から見た側面図であり、左右側処置扉が取り外され且つ足側処置扉が最上昇位置まで上昇されている状態を示している。
【図２１】本発明の一実施形態の保育器の一部を左右側処置扉側から見た側面図であり、左右側処置扉が取り外され且つ足側処置扉が中間位置まで下降されている状態を示している。
【図２２】本発明の一実施形態の保育器の一部を左右側処置扉側から見た側面図であり、左右側処置扉が取り外され且つ足側処置扉が最下降位置まで下降されている状態を示している。
【図２３】本発明の一実施形態の保育器を足側処置扉側から見た側面図であり、足側処置扉が最上昇位置まで上昇されている状態を示している。
【図２４】本発明の一実施形態の保育器を足側処置扉側から見た側面図であり、足側処置扉の枠体覆いが取り外され且つ足側処置扉が中間位置まで下降されている状態を示している。
【図２５】本発明の一実施形態の保育器を足側処置扉側から見た側面図であり、足側処置扉の枠体覆いが取り外され且つ足側処置扉が最下降位置まで下降されている状態を示している。
【図２６】本発明の一実施形態の保育器における足側処置扉及び処置扉支持体の一部の横断面図である。
【図２７】本発明の一実施形態の保育器における足側処置扉の一部の斜視図であり、足側処置扉の枠体覆いが取り外されている状態を示している。
【図２８】本発明の一実施形態の保育器における足側処置扉の一部の縦断面図である。
【図２９】本発明の一実施形態の保育器の足側処置扉における移動体の平面図である。
【図３０】本発明の一実施形態の保育器を足側処置扉側から見た側面図であり、足側処置扉が取り外されている状態を示している。
【図３１】本発明の一実施形態の保育器における基部の掛け金と足側処置扉の掛け金受けとの平面図であり、掛け金と掛け金受けとが係合している状態を示している。
【図３２】本発明の一実施形態の保育器における基部の掛け金と足側処置扉の掛け金受けとの平面図であり、掛け金と掛け金受けとが係合していない状態を示している。
【図３３】本発明の一実施形態の保育器を足側処置扉側から見た側面図であり、閉鎖型保育器の状態にあって、天蓋及び赤外線加熱器が最下降位置まで下降され且つ左右側処置扉及び足側処置扉が最上昇位置まで上昇されている状態を示している。
【図３４】本発明の一実施形態の保育器を足側処置扉側から見た側面図であり、天蓋、赤外線加熱器、左右側処置扉、及び足側処置扉が最上昇位置まで上昇されている状態を示している。
【図３５】本発明の一実施形態の保育器における天蓋及びその近傍部の縦断面図である。
【図３６】本発明の一実施形態の保育器を左右側処置扉側から見た側面図であり、閉鎖型保育器の状態にあって、天蓋が最下降位置まで下降され且つ赤外線加熱器、左右側処置扉、及び足側処置扉が最上昇位置まで上昇されている状態を示している。
【図３７】本発明の一実施形態の保育器を足側処置扉側から見た側面図であり、閉鎖型保育器の状態にあって、天蓋が最下降位置まで下降され且つ赤外線加熱器、左右側処置扉、及び足側処置扉が最上昇位置まで上昇されている状態を示している。
【符号の説明】
【００７３】
１１    保育器
１６    新生児収容室
２２    左右側処置扉
２３    足側処置扉
２５    支柱（加熱器昇降機構）
２６    支柱（加熱器昇降機構）
２７    天蓋
２８    赤外線加熱器
３３    左右側処置窓
３４    足側処置窓
４８    処置扉支持体（処置扉昇降機構）
５３    嵌合孔（処置扉昇降機構）
５４    嵌合孔（処置扉昇降機構）
５８    レバー（処置扉昇降機構）
６４    ピン（処置扉昇降機構）
９２    移動体（処置扉昇降機構）
９３    リンク（処置扉昇降機構）
９４    リンク（処置扉昇降機構）
１１１    レバー（処置扉昇降機構）
１２４    ピン（処置扉昇降機構）
１２８    嵌合部（処置扉昇降機構）
【図１】
2010099243.tif 000003
【図２】
2010099243.tif 000004
【図３】
2010099243.tif 000005
【図４】
2010099243.tif 000006
【図５】
2010099243.tif 000007
【図６】
2010099243.tif 000008
【図７】
2010099243.tif 000009
【図８】
2010099243.tif 000010
【図９】
2010099243.tif 000011
【図１０】
2010099243.tif 000012
【図１１】
2010099243.tif 000013
【図１２】
2010099243.tif 000014
【図１３】
2010099243.tif 000015
【図１４】
2010099243.tif 000016
【図１５】
2010099243.tif 000017
【図１６】
2010099243.tif 000018
【図１７】
2010099243.tif 000019
【図１８】
2010099243.tif 000020
【図１９】
2010099243.tif 000021
【図２０】
2010099243.tif 000022
【図２１】
2010099243.tif 000023
【図２２】
2010099243.tif 000024
【図２３】
2010099243.tif 000025
【図２４】
2010099243.tif 000026
【図２５】
2010099243.tif 000027
【図２６】
2010099243.tif 000028
【図２７】
2010099243.tif 000029
【図２８】
2010099243.tif 000030
【図２９】
2010099243.tif 000031
【図３０】
2010099243.tif 000032
【図３１】
2010099243.tif 000033
【図３２】
2010099243.tif 000034
【図３３】
2010099243.tif 000035
【図３４】
2010099243.tif 000036
【図３５】
2010099243.tif 000037
【図３６】
2010099243.tif 000038
【図３７】
2010099243.tif 000039